【手続補正書】
【提出日】平成16年12月14日(2004.12.14)
【手続補正１】
【補正対象書類名】明細書
【補正対象項目名】発明の名称
【補正方法】変更
【補正の内容】
【発明の名称】出力装置、情報処理装置、及びそれらの処理方法
【手続補正２】
【補正対象書類名】明細書
【補正対象項目名】特許請求の範囲
【補正方法】変更
【補正の内容】
【特許請求の範囲】
【請求項１】
情報処理装置から送られてきた印刷データに基づき、記録媒体であるタブ紙への印刷出力を行う出力装置であって、
前記タブ紙へ印刷する場合、前記印刷データから、前記タブ紙におけるタブ部に印刷すべくシフトするシフト領域を識別する識別手段と、
前記識別手段により識別されたシフト領域に対してタブ処理するタブ処理手段とを有し、
前記タブ処理手段は、前記識別手段により識別された前記シフト領域をシフトし、他の領域をシフトしないように前記印刷データを処理することを特徴とする出力装置。
【請求項２】
前記識別手段は、前記情報処理装置から記録媒体として通知されるタブ紙の設定情報に基づいて、前記記録媒体であるタブ紙のタブ部に印刷すべくシフトするシフト領域を識別することを特徴とする請求項１に記載の出力装置。
【請求項３】
前記設定情報は、少なくともタブ数、タブ位置、タブ幅及び高さであることを特徴とする請求項２に記載の出力装置。
【請求項４】
前記タブ処理手段は、前記設定情報により、前記タブ紙におけるタブ部側から前記識別手段により識別されたシフト領域をシフトし、他の領域をシフトしないように前記印刷データを処理することを特徴とする請求項３に記載の出力装置。
【請求項５】
前記タブ処理手段は、前記設定情報によりタブ位置とタブ幅及び高さで特定されるシフト領域をシフトし、他の領域をシフトしないように前記印刷データを処理することを特徴とする請求項３又は請求項４に記載の出力装置。
【請求項６】
前記印刷データにおいて、前記識別手段により識別されたシフト領域以外の領域に対して他のレイアウト機能に応じたレイアウト処理を行うレイアウト処理手段を更に有することを特徴とする請求項１乃至請求項５の何れか一項に記載の出力装置。
【請求項７】
前記レイアウト処理手段が縮小処理であった場合、前記縮小処理は、前記印刷データにおける前記シフト領域以外の他の領域に対して行われることを特徴とする請求項６に記載の出力装置。
【請求項８】
前記レイアウト処理手段が１枚の記録媒体に複数ページを印刷するレイアウト処理であった場合、前記レイアウト処理は、前記シフト領域以外の他の領域に対して行われることを特徴とする請求項６又は請求項７に記載の出力装置。
【請求項９】
前記識別手段は、当該出力装置の操作部から設定されたタブ紙の設定情報に応じて、前記シフト領域を識別することを特徴とする請求項１乃至請求項８の何れか一項に記載の出力装置。
【請求項１０】
タブ紙への印刷出力を行う出力装置に送出する印刷データを生成する情報処理装置であって、
タブ紙へ印刷出力するための印刷データを生成する生成手段と、
前記印刷データに対するタブ印刷に関する情報を設定する設定手段と、
前記設定手段により設定された設定情報を前記出力装置に通知する通知手段とを有することを特徴とする情報処理装置。
【請求項１１】
前記設定情報は、少なくともタブ数、タブ位置、タブ幅及び高さであることを特徴とする請求項１０に記載の情報処理装置。
【請求項１２】
情報処理装置から送られてきた印刷データに基づき、記録媒体であるタブ紙への印刷出力を行う出力装置の処理方法であって、
前記タブ紙へ印刷する場合、前記印刷データから、前記タブ紙におけるタブ部に印刷すべくシフトするシフト領域を識別する識別工程と、
前記識別工程で識別されたシフト領域に対してタブ処理するタブ処理工程とを有し、
前記タブ処理工程では、前記識別工程で識別された前記シフト領域をシフトし、他の領域をシフトしないように前記印刷データを処理することを特徴とする出力装置の処理方法。
【請求項１３】
前記識別工程では、前記情報処理装置から記録媒体として通知されるタブ紙の設定情報に基づいて、前記記録媒体であるタブ紙のタブ部に印刷すべくシフトするシフト領域を識別することを特徴とする請求項１２に記載の出力装置の処理方法。
【請求項１４】
前記設定情報は、少なくともタブ数、タブ位置、タブ幅及び高さであることを特徴とする請求項１３に記載の出力装置の処理方法。
【請求項１５】
前記タブ処理工程では、前記設定情報により、前記タブ紙におけるタブ部側から前記識別工程で識別されたシフト領域をシフトし、他の領域をシフトしないように前記印刷データを処理することを特徴とする請求項１４に記載の出力装置の処理方法。
【請求項１６】
前記タブ処理工程では、前記設定情報によりタブ位置とタブ幅及び高さで特定されるシフト領域をシフトし、他の領域をシフトしないように前記印刷データを処理することを特徴とする請求項１４又は請求項１５に記載の出力装置の処理方法。
【請求項１７】
前記印刷データにおいて、前記識別工程で識別されたシフト領域以外の領域に対して他のレイアウト機能に応じたレイアウト処理を行うレイアウト処理工程を更に有することを特徴とする請求項１２乃至請求項１６の何れか一項に記載の出力装置の処理方法。
【請求項１８】
前記レイアウト処理工程で縮小処理を行う場合、前記縮小処理は、前記印刷データにおける前記シフト領域以外の他の領域に対して行われることを特徴とする請求項１７に記載の出力装置の処理方法。
【請求項１９】
前記レイアウト処理工程で１枚の記録媒体に複数ページを印刷するレイアウト処理を行う場合、前記レイアウト処理は、前記シフト領域以外の他の領域に対して行われることを特徴とする請求項１７又は請求項１８に記載の出力装置。
【請求項２０】
前記識別工程では、当該出力装置の操作部から設定されたタブ紙の設定情報に応じて、前記シフト領域を識別することを特徴とする請求項１２乃至請求項１９の何れか一項に記載の出力装置の処理方法。
【請求項２１】
タブ紙への印刷出力を行う出力装置に送出する印刷データを生成する情報処理装置の処理方法であって、
タブ紙へ印刷出力するための印刷データを生成する生成工程と、
前記印刷データに対するタブ印刷に関する情報を設定する設定工程と、
前記設定工程で設定された設定情報を前記出力装置に通知する通知工程とを有することを特徴とする情報処理装置の処理方法。
【請求項２２】
前記設定情報は、少なくともタブ数、タブ位置、タブ幅及び高さであることを特徴とする請求項２１に記載の情報処理装置の処理方法。
【請求項２３】
請求項１２に記載の出力装置の処理方法をコンピュータに実行させるためのプログラム。
【請求項２４】
請求項２１に記載の情報処理装置の処理方法をコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、情報処理装置から送られてきた印刷データに基づき、記録媒体であるタブ紙への印刷出力を行う出力装置、情報処理装置、及びそれらの処理方法に関するものである。
【手続補正４】
【補正対象書類名】明細書
【補正対象項目名】０００７
【補正方法】変更
【補正の内容】
【０００７】
本発明は、上記の問題を解決するためになされたもので、ユーザがタブ幅や給紙方向を意識することなくタブ印刷を行える出力装置、情報処理装置、及びそれらの処理方法を提供することを目的とする。
【手続補正５】
【補正対象書類名】明細書
【補正対象項目名】０００８
【補正方法】変更
【補正の内容】
【０００８】
また、本発明は、タブ紙によってまちまちなタブ数、タブ位置、タブ幅及び高さ等物理的な領域を認識する必要がない出力装置、情報処理装置、及びそれらの処理方法を提供することを目的とする。
【手続補正６】
【補正対象書類名】明細書
【補正対象項目名】０００９
【補正方法】変更
【補正の内容】
【０００９】
更に、本発明は、タブ印刷時、タブ部でない部分の印刷結果までシフトしない出力装置、情報処理装置、及びそれらの処理方法を提供することを目的とする。
【手続補正７】
【補正対象書類名】明細書
【補正対象項目名】００１０
【補正方法】変更
【補正の内容】
【００１０】
また、本発明は、タブ印刷と他のレイアウト系機能との併用が可能である出力装置、情報処理装置、及びそれらの処理方法を提供することを目的とする。
【手続補正８】
【補正対象書類名】明細書
【補正対象項目名】００１１
【補正方法】変更
【補正の内容】
【００１１】
【課題を解決するための手段】
上記目的を達成するために、本発明は、情報処理装置から送られてきた印刷データに基づき、記録媒体であるタブ紙への印刷出力を行う出力装置であって、前記タブ紙へ印刷する場合、前記印刷データから、前記タブ紙におけるタブ部に印刷すべくシフトするシフト領域を識別する識別手段と、前記識別手段により識別されたシフト領域に対してタブ処理するタブ処理手段とを有し、前記タブ処理手段は、前記識別手段により識別された前記シフト領域をシフトし、他の領域をシフトしないように前記印刷データを処理することを特徴とする。
【手続補正９】
【補正対象書類名】明細書
【補正対象項目名】００１２
【補正方法】変更
【補正の内容】
【００１２】
また、本発明は、タブ紙への印刷出力を行う出力装置に送出する印刷データを生成する情報処理装置であって、タブ紙へ印刷出力するための印刷データを生成する生成手段と、前記印刷データに対するタブ印刷に関する情報を設定する設定手段と、前記設定手段により設定された設定情報を前記出力装置に通知する通知手段とを有することを特徴とする。
【手続補正１０】
【補正対象書類名】明細書
【補正対象項目名】００１３
【補正方法】変更
【補正の内容】
【００１３】
更に、本発明は、情報処理装置から送られてきた印刷データに基づき、記録媒体であるタブ紙への印刷出力を行う出力装置の処理方法であって、前記タブ紙へ印刷する場合、前記印刷データから、前記タブ紙におけるタブ部に印刷すべくシフトするシフト領域を識別する識別工程と、前記識別工程で識別されたシフト領域に対してタブ処理するタブ処理工程とを有し、前記タブ処理工程では、前記識別工程で識別された前記シフト領域をシフトし、他の領域をシフトしないように前記印刷データを処理することを特徴とする。
【手続補正１１】
【補正対象書類名】明細書
【補正対象項目名】００１４
【補正方法】変更
【補正の内容】
【００１４】
また、本発明は、タブ紙への印刷出力を行う出力装置に送出する印刷データを生成する情報処理装置の処理方法であって、タブ紙へ印刷出力するための印刷データを生成する生成工程と、前記印刷データに対するタブ印刷に関する情報を設定する設定工程と、前記設定工程で設定された設定情報を前記出力装置に通知する通知工程とを有することを特徴とする。